(57)【特許請求の範囲】
【請求項１】
スケジュール管理端末装置が管理しているスケジュールを、近距離無線回線を介してスケジュール受信端末装置に通知するスケジュール通知方法であって、
上記スケジュール管理端末装置は、
スケジュールの通知時刻になった際に、予め登録されているスケジュール受信端末装置を上記近距離無線回線を介して探索し、探索されたスケジュール受信端末装置に該当するスケジュールを電子メールによって通知する一方、
スケジュール受信端末装置を検索できなかった場合には、該当するスケジュールを表示部に表示する
ことを特徴とするスケジュール通知方法。
【請求項２】
請求項１に記載のスケジュール通知方法を実行するスケジュール管理端末装置であって、
近距離無線通信手段と、
スケジュール内容およびスケジュール時刻を含むスケジュールデータを記憶するスケジュール記憶手段と、
スケジュール受信端末装置識別コードを記憶する記憶手段と、
予め上記記憶手段に記憶されているスケジュール受信端末装置識別コードを参照して、上記近距離無線通信手段を介して周囲に在るスケジュール受信端末装置を発見するスケジュール受信端末装置発見手段と、
現在時刻が上記スケジュール記憶手段に記憶されたスケジュール時刻に至った否かを監視するスケジュール時刻監視手段と、
上記スケジュール記憶手段に記憶されたスケジュール内容およびスケジュール時刻を含む電子メールを作成する電子メール作成手段と、
制御手段と
を備え、
上記制御手段は、上記スケジュール時刻監視手段から現在時刻が上記スケジュール時刻に至ったことを表す通知を受け取ると、上記スケジュール受信端末装置発見手段によって周囲に在るスケジュール受信端末装置を発見させ、この発見されたスケジュール受信端末装置に、該当するスケジュールを、上記電子メール作成手段に作成させた電子メールによって上記近距離無線通信手段を介して通知することを特徴とするスケジュール管理端末装置。
【請求項３】
請求項２に記載のスケジュール管理端末装置において、
上記スケジュール受信端末装置識別コードは、上記スケジュール受信端末装置から上記近距離無線通信手段を介して上記記憶手段に記憶されることを特徴とするスケジュール管理端末装置。
【請求項４】
請求項２に記載のスケジュール管理端末装置において、
上記スケジュール内容を表示部に表示するスケジュール内容表示手段を備え、
上記制御手段は、上記スケジュール受信端末装置発見手段によって周囲に在るスケジュール受信端末装置を発見できなかった場合には、上記スケジュール内容表示手段に、上記スケジュール記憶手段に記憶されたスケジュール内容を読み出して上記表示部に表示させるようになっている
ことを特徴とするスケジュール管理端末装置。
【請求項５】
請求項１に記載のスケジュール通知方法を実行するスケジュール受信端末装置であって、
近距離無線通信手段と、
スケジュールを管理しているスケジュール管理端末装置からの問い合わせに対する応答を行う問い合わせ応答手段と、
アラーム設定が格納されるアラーム設定格納手段と、
上記アラーム設定格納手段に格納されたアラーム設定に従ってアラームおよびバイブレータの何れか一方を動作させるアラーム作動手段と、
スケジュール内容およびスケジュール時刻を含む電子メールを表示部に表示する電子メール表示手段と、
制御手段と
を備え、
上記制御手段は、
上記スケジュール管理端末装置からの問い合わせを上記近距離無線通信手段を介して受信すると、上記問い合わせ応答手段によって上記問合せに対する応答を上記近距離無線通信手段を介して行わせ、
上記スケジュール管理端末装置から電子メールによって通知されたスケジュールを上記近距離無線通信手段を介して受信すると、上記アラーム作動手段によって上記アラーム設定に従ってアラームおよびバイブレータの何れか一方を動作させた後、受信した電子メールを上記電子メール表示手段によって上記表示部に表示させる
ことを特徴とするスケジュール受信端末装置。
【発明の詳細な説明】
【０００１】
【発明の属する技術分野】
この発明は、携帯電話とスケジュール管理端末装置を携帯した際に携帯電話のみでスケジュール通知のアラーム設定が可能なスケジュール通知方法、および、このスケジュール通知方法を実行するスケジュール管理端末装置、並びに、上記スケジュール通知方法を実行するスケジュール受信端末装置に関する。
【０００２】
【従来の技術】
近年、携帯電話機や携帯情報端末等のモバイル端末が多くの人々に利用されている。上記携帯電話機は、主に音声通話や電子メール送受信のために用いられている。一方、上記携帯情報端末は、スケジュール管理,住所録管理あるいはメモ等を行なうために用いられることが多い。したがって、外出先で音声通話や電子メール送受信およびスケジュール確認等を行ないたい人は、携帯電話機と携帯情報端末との両方を携帯し、上記携帯電話機のアラーム音やバイブレーションによって音声通話や電子メールの着信を確認する一方、携帯情報端末のアラーム音によってスケジュール時刻を確認する必要がある。
【０００３】
【発明が解決しようとする課題】
しかしながら、上記携帯電話機と携帯情報端末との両方を携帯して、外出先で音声通話や電子メール送受信およびスケジュール確認等を行なう場合には、以下のような問題がある。
【０００４】
すなわち、上記携帯電話機や携帯情報端末のアラーム音は、会議中や映画上映中等において不意に鳴動すると周囲の人々に迷惑がかかるため、会議室や映画館に入る際に上記携帯電話機や携帯情報端末のアラーム設定をオフすることによって周囲の人々に迷惑がかからないように配慮する。その際に、携帯電話機と携帯情報端末との両方を使用している場合には、上記携帯電話機と携帯情報端末との両方の機器に対してアラームをオフに設定する必要があり、大変面倒であると共に、何れか一方の機器の設定をし忘れることが多いという問題がある。
【０００５】
このような問題の解決策として、音声通話や電子メール送受信に加えて、スケジュール管理,住所録管理およびメモ等の機能を搭載した携帯電話機を使用することが考えられる。この場合、携帯電話機のみで音声通話や電子メール送受信に加えてスケジュール確認等も行なえるため、携帯情報端末を持ち歩く必要がなくなる。したがって、携帯電話機のみに対してアラームをオフに設定することによって、アラーム音が周囲に迷惑をかけることを防ぐことができる。
【０００６】
しかしながら、このような携帯電話機は、１つの機器に多くの機能を搭載するために、サイズが大きく音声通話等の操作がし難いという問題や、ハードウェアの制約のためにスケジュール管理機能や他の機能に制約が生じるという問題がある。
【０００７】
また、上記問題を解決する他の方法として、特開平９‐１１６６３２号公報に開示されたスケジュール通知装置を携帯電話機から利用することによって、携帯電話機でスケジュール管理を行なう方法がある。この場合には、音声通話や電子メールの着信時およびスケジュール時刻には携帯電話機のアラームのみが作動する。したがって、携帯電話機のみに対してアラームをオフに設定することによって、アラーム音が周囲に迷惑をかけることを防止できる。
【０００８】
しかしながら、このようなスケジュール通知装置の場合には、携帯電話機からスケジュールを入力,変更する必要があり、操作し難いという問題がある。さらに、この携帯電話機でスケジュール管理を行なう方法は、複数の携帯電話機を使い分ける人の場合には、個々の携帯電話機毎にスケジュール管理が行われることになり、スケジュールを入力した携帯電話機にしかスケジュールの通知が来ないという問題がある。
【０００９】
そこで、この発明の目的は、携帯電話での音声通話と携帯情報端末でのスケジュール管理等の使い分けによる快適さや利便性は保ちながら、これらの両方を携帯する場合にはアラーム設定を携帯電話のみで可能とし、また、複数の携帯電話機を使い分ける場合でも適切にスケジュール通知を行うことが可能なスケジュール通知方法およびスケジュール管理端末装置、並びに、スケジュール受信端末装置を提供することにある。
【００１０】
【課題を解決するための手段】
上記目的を達成するため、第１の発明は、スケジュール管理端末装置が管理しているスケジュールを近距離無線回線を介してスケジュール受信端末装置に通知するスケジュール通知方法であって、上記スケジュール管理端末装置は、スケジュールの通知時刻になった際に、予め登録されているスケジュール受信端末装置を上記近距離無線回線を介して探索し、探索されたスケジュール受信端末装置に該当するスケジュールを電子メールによって通知する一方、スケジュール受信端末装置を検索できなかった場合には、該当するスケジュールを表示部に表示することを特徴としている。
【００１１】
上記構成によれば、スケジュール管理端末装置は、予め登録されているスケジュール受信端末装置のうち周囲に在るスケジュール受信端末装置を探索してスケジュールを電子メールによって通知するので、使用者に対して、スケジュール管理端末装置自らがスケジュールの通知時刻になったことをアラームやバイブレータによって通知する必要がない。したがって、上記スケジュール端末装置とスケジュール受信端末装置とを所持する使用者は上記スケジュール受信端末装置側のアラームのみをオフにすればよく、上記スケジュール管理端末装置側のアラームをオフするのを忘れて周囲に迷惑をかけることが防止される。
【００１２】
さらに、上記スケジュール管理端末装置によって複数の上記スケジュール受信端末装置に関するスケジュールが管理されており、近くに在るスケジュール受信端末装置のみにスケジュール通知が行われる。したがって、複数の受信手段を使い分ける場合であっても、適切にスケジュール通知が行われる。
【００１３】
また、第２の発明は、上記第１の発明のスケジュール通知方法を実行するスケジュール管理端末装置であって、近距離無線通信手段と,スケジュール内容およびスケジュール時刻を含むスケジュールデータを記憶するスケジュール記憶手段と,スケジュール受信端末装置識別コードを記憶する記憶手段と,予め上記記憶手段に記憶されているスケジュール受信端末装置識別コードを参照して上記近距離無線通信手段を介して周囲に在るスケジュール受信端末装置を発見するスケジュール受信端末装置発見手段と,上記スケジュール記憶手段に記憶されたスケジュール内容およびスケジュール時刻を含む電子メールを作成する電子メール作成手段と,制御手段とを備え、上記制御手段は、上記スケジュール時刻監視手段から現在時刻が上記スケジュール時刻に至ったことを表す通知を受け取ると、上記スケジュール受信端末装置発見手段によって周囲に在るスケジュール受信端末装置を発見させ、この発見されたスケジュール受信端末装置に、該当するスケジュールを、上記電子メール作成手段に作成させた電子メールによって上記近距離無線通信手段を介して通知することを特徴としている。
【００１４】
上記構成によれば、スケジュール時刻に至ると、自動的に周囲に在るスケジュール受信端末装置が捜査され、発見されたスケジュール受信端末装置にのみ該当するスケジュールが通知される。したがって、スケジュールの通知時刻になったことをアラームやバイブレータによって使用者に通知する必要がない。そのために、上記スケジュール受信端末装置側のアラーム設定が変更されるだけで、周囲に迷惑をかけることが防止される。
【００１５】
さらに、複数の上記スケジュール受信端末装置に関するスケジュールが管理されており、近くに在るスケジュール受信端末装置のみにスケジュール通知が行われる。したがって、複数のスケジュール受信端末装置を使い分ける場合であっても適切にスケジュール通知が行われる。
【００１６】
また、１実施例では、上記第２の発明のスケジュール管理端末装置において、上記スケジュール受信端末装置識別コードは、上記スケジュール受信端末装置から上記近距離無線通信手段を介して上記記憶手段に記憶されることを特徴としている。
【００１７】
この実施例によれば、上記スケジュール管理端末装置の記憶手段には、上記スケジュール受信端末装置から上記近距離無線通信手段を介してスケジュール受信端末装置識別コードが自動的に記憶される。したがって、入力手段等から上記スケジュール受信端末装置識別コードを直接入力する煩わしさがなくなる。
【００１８】
また、１実施例では、上記第２の発明のスケジュール管理端末装置において、上記スケジュール内容を表示部に表示するスケジュール内容表示手段を備え、上記制御手段は、上記スケジュール受信端末装置発見手段によって周囲に在るスケジュール受信端末装置を発見できなかった場合には、上記スケジュール内容表示手段に、上記スケジュール記憶手段に記憶されたスケジュール内容を読み出して上記表示部に表示させるようになっていることを特徴としている。
【００１９】
この実施例によれば、周囲に在るスケジュール受信端末装置を発見できなかった場合には、スケジュール内容が上記表示部に表示される。したがって、使用者がスケジュール管理端末装置のみを携帯してスケジュール受信端末装置を携帯していない場合であっても、使用者にスケジュール内容を通知することができる。
【００２０】
また、第３の発明は、上記第１の発明のスケジュール通知方法を実行するスケジュール受信端末装置であって、近距離無線通信手段と,スケジュールを管理しているスケジュール管理端末装置からの問い合わせに対する応答を行う問い合わせ応答手段と,アラーム設定が格納されるアラーム設定格納手段と,上記アラーム設定格納手段に格納されたアラーム設定に従ってアラームおよびバイブレータの何れか一方を動作させるアラーム作動手段と,スケジュール内容およびスケジュール時刻を含む電子メールを表示部に表示する電子メール表示手段と,制御手段とを備え、上記制御手段は、上記スケジュール管理端末装置からの問い合わせを上記近距離無線通信手段を介して受信すると、上記問い合わせ応答手段によって上記問合せに対する応答を上記近距離無線通信手段を介して行わせ、上記スケジュール管理端末装置から電子メールによって通知されたスケジュールを上記近距離無線通信手段を介して受信すると、上記アラーム作動手段によって上記アラーム設定に従ってアラームおよびバイブレータの何れか一方を動作させた後、受信した電子メールを上記電子メール表示手段によって上記表示部に表示させることを特徴としている。
【００２１】
上記構成によれば、問い合わせ応答手段によって、スケジュール管理端末装置からの問い合わせに対する応答が行われ、上記スケジュール管理端末装置の近くに在ることが自動的に通知される。さらに、使用者によって指定されたアラーム設定に従ってアラームおよびバイブレータの何れか一方によって、上記スケジュール管理端末装置からのスケジュール受信が使用者に通知される。したがって、上記アラーム設定をバイブレータにしておくことによって、周囲に迷惑をかけることなくスケジュール受信を知ることが可能になる。
【００２２】
【発明の実施の形態】
以下、この発明を図示の実施の形態により詳細に説明する。図１は、本実施の形態のスケジュール通知方法を実行するスケジュール管理端末装置およびスケジュール受信端末装置で成るスケジュール管理システムの構成を示すブロック図である。尚、図１に示すスケジュール管理システムは、上記スケジュール管理端末装置を携帯情報端末１で構成し、上記スケジュール受信端末装置を携帯電話機２で構成している。
【００２３】
図１において、上記携帯情報端末１は、スケジュール管理機能等の情報処理機能を有し、ポケット等に入れて携帯することが可能になっている。また、携帯電話機２は、音声通話機能や電子メール送受信機能を有し、ポケット等に入れて携帯することが可能になっている。
【００２４】
上記携帯情報端末１は、スケジュール入力部３,スケジュール格納部４,スケジュール時刻監視部５,スケジュール内容表示部６,アラーム作動部７,周辺機器ＩＤ(識別子)入力部８,周辺機器ＩＤ格納部９,周辺機器発見部１０,アラーム命令作成部１１,電子メール作成部１２,音声変換部１３,音声通話部１４,近距離無線通信部１５および制御部１６で構成される。
【００２５】
上記スケジュール入力部３は、スケジュール内容,スケジュール開始・終了時刻,アラームを鳴動するスケジュール時刻等のスケジュールデータを、使用者によるキーボードやタブレット等の入力装置(図示せず)の操作に基づいて入力する。そうすると、スケジュール入力部３から入力されたスケジュールデータは、スケジュール格納部４に格納される。スケジュール内容表示部６は、スケジュール格納部４に格納されているスケジュールデータを液晶パネル等の表示装置(図示せず)に表示する。また、スケジュール時刻監視部５は、スケジュール格納部４に格納されたスケジュールデータと現在時刻とを比較して、アラームを作動させるべき時刻になった際に、そのことをアラーム作動部７またはアラーム命令作成部１１に通知する。そうすると、アラーム作動命令を受けたアラーム作動部７は、アラームを作動させる。
【００２６】
周辺機器ＩＤ入力部８は、周辺機器のＩＤやスケジュール通知方法等のデータを、使用者によるキーボードやタブレット等の上記入力装置の操作に基づいて入力する。尚、上記周辺機器とは、本携帯情報端末１の周囲に在って、本携帯情報端末１からのスケジュール通知を受信してアラームを作動させることができる機器のことである。こうして周辺機器ＩＤ入力部８から入力されたデータは、周辺機器ＩＤ格納部９に格納される。
【００２７】
周辺機器発見部１０は、上記周辺機器ＩＤ格納部９に格納されているＩＤに該当する携帯電話機２が本携帯情報端末１の周囲に存在することを、自動的に発見する。アラーム命令作成部１１は、スケジュール時刻監視部５からのアラーム作動命令を受けると、携帯電話機２に送信するアラーム命令を作成する。また、電子メール作成部１２は、携帯電話機２に送信する電子メールを作成する。また、音声変換部１３はスケジュール内容を音声に変換する。そして、作成された音声が、音声通話部１４によって携帯電話機２に送信される。近距離無線通信部１５は、近距離にある携帯電話機２と近距離無線回線を介して通信する。こうして、アラーム命令作成部１１で作成されたアラーム命令や、電子メール作成部１２で作成された電子メールが、携帯電話機２に送信される。
【００２８】
上記制御部１６は、上記スケジュール入力部３〜近距離無線通信部１５を制御して、管理しているスケジュールのアラーム鳴動時刻になった際に、近距離無線通信部１５から、アラーム命令および電子メールを送信する。若しくは、音声通話部１４から、音声によるスケジュール通知を送信する。
【００２９】
一方、上記携帯電話機２は、アラーム設定入力部１７,アラーム設定格納部１８,アラーム作動部１９,バイブレータ作動部２０,アラーム停止操作部２１,アラーム時間監視部２２,電子メール受信部２３,電子メール格納部２４,電子メール表示操作部２５,電子メール表示部２６,オフフック操作部２７,オンフック操作部２８,メッセージ表示部２９,音声通話部３０,公衆無線通信部３１,近距離無線通信部３２,ＩＤ格納部３３,問い合わせ応答部３４および制御部３５で構成される。
【００３０】
上記アラーム設定入力部１７は、音声通話着信時や電子メール着信時等にアラームやバイブレータをどのように作動させるかを、使用者によるキーボードやタブレット等の上記入力装置の操作に基づいて設定する。こうして、アラーム設定入力部１７から設定されたデータは、アラーム設定格納部１８に格納される。アラーム作動部１９は、アラームの作動および停止を行なう。バイブレータ作動部２０は、バイブレータの作動および停止を行なう。アラーム停止操作部２１は、アラームやバイブレータの停止を、使用者によるボタン等の入力装置(図示せず)の操作に基づいて指示する。アラーム時間監視部２２は、アラームやバイブレータの作動時間を計測し、予め設定された時間が経過した際にアラーム作動時間経過通知をアラーム作動部１９あるいはバイブレータ作動部２０に通知して、アラームあるいはバイブレータの停止を行なわせる。
【００３１】
上記電子メール受信部２３は、電子メールを受信する。そして、受信した電子メールデータは電子メール格納部２４に格納される。電子メール表示操作部２５は、電子メール格納部２５に格納されている電子メールデータを液晶パネル等の上記表示装置に表示することを、使用者によるボタン等の上記入力装置の操作に基づいて指示する。電子メール表示部２６は、電子メール表示操作部２５からの指示を受けて、電子メール格納部２４に格納されている電子メールデータを液晶パネル等の上記表示装置に表示する。
【００３２】
上記オフフック操作部２７は、音声通話着信時に音声通話の開始を、使用者によるボタン等の上記入力装置の操作に基づいて音声通話部３０あるいは公衆無線通信部３１に指示する。オンフック操作部２８は、音声通話の終了を、使用者によるボタン等の上記入力装置の操作に基づいて音声通話部３０あるいは公衆無線通信部３１に指示する。
【００３３】
上記メッセージ表示部２９は、電子メール着信時等にメッセージを液晶パネル等の上記表示装置に表示する。音声通話部３０は、携帯情報端末１と音声を送受信する。公衆無線通信部３１は公衆電話回線と無線で通信を行う。近距離無線通信部３２は、近距離にある携帯情報端末１と近距離無線回線を介して通信する。
【００３４】
上記ＩＤ格納部３３は、本携帯電話機２を特定することができるＩＤを格納する。問い合わせ応答部３４は、携帯情報端末１からの問い合わせに対して応答する。
【００３５】
上記制御部３５は、上記アラーム設定入力部１７〜問い合わせ応答部３４を制御して、近距離無線通信部３２によって上記アラーム命令あるいは電子メールを受信した場合、若しくは、音声通話部３０によって上記スケジュール通知の音声を受信した場合に、アラーム設定格納部１８に予め設定されたアラーム設定に従って、アラーム作動部１９あるいはバイブレータ作動部２０を動作させてアラームやバイブレータを作動させる。
【００３６】
図１において、上記携帯情報端末１のスケジュール入力部３,スケジュール格納部４,スケジュール時刻監視部５,スケジュール内容表示部６およびアラーム作動部７は、従来の携帯情報端末に搭載されているものと同等である。また、携帯電話機２のアラーム設定入力部１７,アラーム設定格納部１８,アラーム作動部１９,バイブレータ作動部２０,アラーム停止操作部２１,アラーム時間監視部２２,電子メール受信部２３,電子メール格納部２４,電子メール表示操作部２５,電子メール表示部２６,オフフック操作部２７,オンフック操作部２８,メッセージ表示部２９,音声通話部３０,公衆無線通信部３１およびＩＤ格納部３３は、従来の携帯電話機に搭載されているものと同等である。
【００３７】
そして、上記携帯情報端末１における周辺機器ＩＤ入力部８,周辺機器ＩＤ格納部９,周辺機器発見部１０,アラーム命令作成部１１,電子メール作成部１２,音声変換部１３,音声通話部１４および近距離無線通信部１５は、本実施の形態に特有のものである。同様に、携帯電話機２における近距離無線通信部３２および問い合わせ応答部３４も本実施の形態に特有のものである。
【００３８】
尚、上記携帯情報端末１及び携帯電話機２間の無線通信は、例えばBluetoothを使用して行われる。
【００３９】
以下、上記構成を有するスケジュール管理システムの動作を、図２に示すスケジュール管理処理動作のフローチャートに基づいて説明する。尚、本スケジュール管理システムの使用者は、本スケジュール管理システムを構成する携帯情報端末１および携帯電話機２をポケットや鞄等に入れて携帯するものとする。
【００４０】
ステップＳ1で、上記携帯情報端末１に、使用者がスケジュール通知を行なう携帯電話機２のＩＤ,スケジュール通知方法および各種スケジュール等がキーボードやタブレット等の操作によって入力される。その場合における携帯電話機２のＩＤやスケジュール通知方法は周辺機器ＩＤ入力部８を通じて入力され、入力されたデータは制御部１６によって周辺機器ＩＤ格納部９に格納される。尚、携帯電話機２のＩＤについては、使用者の操作によって携帯電話機２から携帯情報端末１に無線通信するように構成することも可能である。その場合には、ＩＤはＩＤ格納部３３から読み出されるので、使用者は携帯電話機２のＩＤを覚えておく必要がなく、ＩＤを直接入力する煩わしさから開放される。周辺機器ＩＤ格納部９に格納されるデータの一例を図３に示す。図３において、周辺機器ＩＤは、周辺機器を特定することができる全機器に唯一の番号や記号の列である。また、スケジュール通知方法は、携帯情報端末１から携帯電話機２にスケジュール通知を行なう際の方法であり、「電子メール」は電子メールによってスケジュール内容を通知することを意味し、「音声」は音声通話によてスケジュール内容を通知することを意味し、「アラーム命令」はスケジュール時刻になったことのみをアラームによって通知することを意味する。
【００４１】
一方、上記スケジュールは、上記スケジュール入力部３を通じて入力され、入力されたスケジュールデータは制御部１６によってスケジュール格納部４に格納される。さらに、スケジュール格納部４に格納されたスケジュールデータに含まれるアラーム鳴動フラグがオンである場合には、制御部１６によって、スケジュールデータに含まれるスケジュール時刻およびスケジュール番号がスケジュール時刻監視部５に登録される。スケジュール格納部４に格納されるスケジュールデータの一例を図４に示す。図４において、「スケジュール番号」は入力されたスケジュールデータに自動的に付加されるユニークな番号であり、このスケジュール番号によってスケジュールを特定することができる。また、「開始時刻」及び「終了時刻」は、スケジュールが開始される時刻及び終了する時刻である。また、「アラーム鳴動フラグ」は、スケジュールがあることをアラームで使用者に通知するか否かを指定するものであり、「オン」に設定することによってスケジュール時刻になると使用者に対してアラームで通知される。また、「スケジュール内容」は、スケジュールの件名および詳細内容等である。
【００４２】
ステップＳ2で、使用者によって、会議等の直前に、キーボードやタブレット等の操作によって、携帯電話機２のアラーム設定入力部１７を通じてアラーム設定が入力される。そうすると、制御部３５によって、アラーム設定入力部１７から入力されたアラーム設定データがアラーム設定格納部１８に格納される。ここで、アラーム設定格納部１８に格納されたアラーム設定データの一例を図５に示す。図５において、「カレントモード」は音声通話等の着信時に使用するアラーム設定を示し、イエスが指定されたアラーム設定に従ってアラームおよびバイブレータが動作する。その場合、イエスは必ず１つのアラーム設定のみに指定され、残りのアラーム設定にはノーが指定される。また、「アラームモード」は、アラーム設定毎に付けられた名称である。また、「アラーム音量」はアラーム音の大きさであり、オフはアラームを作動させないことを意味する。また、「アラーム音種類」は、アラーム音の音色等を指定するものである。また、「バイブレーション強度」はバイブレーションの強さであり、オフはバイブレータを作動させないことを意味する。また、「バイブレーション種類」は、バイブレーションのパターンを指定したものである。
【００４３】
ステップＳ3で、上記携帯情報端末１のスケジュール時刻監視部５によって、現在時刻と上記ステップＳ1において登録されたスケジュール時刻とが比較される。そして、現在時刻がスケジュール時刻以降であるか否かが判別される、そのッ結果、スケジュール時刻以降になると、スケジュール時刻になったことがスケジュール番号と共に制御部１６に対して通知される。そして、当該スケジュール時刻およびそのスケジュール番号がスケジュール時刻監視部５から削除される。そうした後、ステップＳ4に進む。
【００４４】
ステップＳ4で、上記制御部１６によって、周辺機器発見部１０に対して、周辺機器ＩＤ格納部９に格納されているＩＤを有する携帯電話機２の検索が指示される。そうすると、上記指示を受けた周辺機器発見部１０によって、周辺機器問い合わせメッセージが作成されて、近距離無線通信部１５を介して無線で送信される。そして、携帯電話機２の近距離無線通信部３２によって、上記周辺機器問い合わせメッセージが受信されると、そのことが制御部３５に通知され、制御部３５によって、問い合わせ応答部３４に対して周辺機器問い合わせメッセージに対する応答の指示がなされる。そうすると、指示を受けた問い合わせ応答部３４によって、ＩＤ格納部３３に格納されている自身のＩＤが読み出され、そのＩＤを含む応答メッセージが作成されて、近距離無線通信部３２を介して携帯情報端末１に応答メッセージが返信される。
【００４５】
こうして返信された上記携帯電話機２からの応答メッセージは、携帯情報端末１の近距離無線通信部１５によって受信され、そのことが周辺機器発見部１０に通知される。そして、周辺機器発見部１０によって、受信された応答メッセージから周辺機器ＩＤが読み出され、周辺機器ＩＤ格納部９に格納されている周辺機器ＩＤと比較される。そして、一致する周辺機器ＩＤがあれば、そのことが制御部１６に通知される。そうすると、制御部１６は、周辺機器発見部１０からの上記通知に基づいて、周辺機器が発見されたか否かを判別し、発見された場合にはステップＳ7に進み、発見されない場合にはステップＳ5に進む。
【００４６】
ステップＳ5で、上記制御部１６によって、周辺機器発見部１０は周辺機器を発見できなかったので、使用者は携帯情報端末１のみを携帯しているものと判断され、スケジュール時刻監視部５から得たスケジュール番号をキーとしてスケジュール格納部４に格納されているスケジュール内容が読み出され、スケジュール内容表示部６に送出される。そして、スケジュール内容表示部６によって、スケジュール内容が上記表示装置に表示される。ステップＳ6で、制御部１６によってアラーム作動部７が制御され、アラームを一定時間鳴動させることによって、スケジュール時刻になったことが使用者に通知される。そうした後、スケジュール管理処理動作が終了される。
【００４７】
ステップＳ7で、上記制御部１６によって、周辺機器発見部１０は周辺機器を発見できたので、周辺機器発見部１０によって得られた周辺機器ＩＤをキーにして周辺機器ＩＤ格納部９に格納されているスケジュール通知方法が読み出され、スケジュール通知方法が上記「アラーム命令通知」であるか否かが判別される。その結果、「アラーム命令通知」である場合にはステップＳ8に進み、そうでない場合にはステップＳ12に進む。
【００４８】
ステップＳ8で、上記制御部１６によって、上記スケジュール通知方法がアラーム命令通知であるのでアラーム命令作成部１１が制御され、アラーム命令メッセージが作成される。図６は上記アラーム命令メッセージの一例である。最初の１バイトはメッセージの種類を示すデータである。このメッセージの場合はアラーム命令メッセージであることを示す「１」が格納される。次の３バイトは、このメッセージ全体のデータ長(単位はバイト)である。このメッセージの場合は「８」が格納される。最後の４バイトは送信時刻(単位は分)である。
【００４９】
ステップＳ9で、上記制御部１６によって上記近距離無線通信部１５が制御されて、携帯電話機２にアラーム命令メッセージが送信される。ステップＳ10で、上記アラーム命令メッセージを受信した携帯電話機２の近距離無線通信部３２によって、そのことが制御部３５に通知される。そうすると、通知を受けた制御部３５によって、スケジュール時刻に至ったことを示すメッセージ、例えば「スケジュールアラーム着信あり」がメッセージ表示部２９によって上記表示装置に表示される。それと共に、アラーム設定格納部１８に格納されているアラーム設定に従ってアラーム作動部１９あるいはバイブレータ作動部２０が動作されて、使用者にスケジュール時刻に至ったことが通知される。
【００５０】
ステップＳ11で、上記制御部３５によって、アラーム時間監視部２２から決められた時間が経過したとの通知を受けるか、アラーム停止操作部２１から使用者によって操作されたとの通知を受けると、アラーム作動部１９あるいはバイブレータ作動部２０の動作が停止される。そうした後、スケジュール管理処理動作が終了される。
【００５１】
ステップＳ12で、上記制御部１６によって、上記周辺機器ＩＤ格納部９から読み出されたスケジュール通知方法が上記「電子メール通知」であるか否かが判別される。その結果、「電子メール通知」である場合にはステップＳ13に進み、そうでない場合にはステップＳ19に進む。
【００５２】
ステップＳ13で、上記制御部１６によって上記電子メール作成部１２が制御されて、スケジュール格納部４に格納されているスケジュール開始時刻,スケジュール終了時刻,スケジュール内容等を含んだ電子メールが作成される。図７は上記作成された電子メールの一例である。最初の１バイトはメッセージの種類を示すデータである。このメッセージの場合は電子メールであることを示す「２」が格納される。次の３バイトはメッセージ長(単位はバイト)であり、その次の４バイトは送信時刻(単位は分)である。さらに、送信元メールアドレス,送信先メールアドレス,メールタイトル,メール本文等のデータ長(単位はバイト)およびデータが格納される。具体的には、上記「送信元メールアドレス」データとして携帯情報端末１のＩＤが、上記「送信先メールアドレス」データとして携帯電話機２のＩＤが、上記「メールタイトル」として文字列「スケジュール内容通知」が、上記「メール本文」としてスケジュール開始時刻やスケジュール終了時刻やスケジュール内容を示す文字列が格納されるのである。
【００５３】
ステップＳ14で、上記制御部１６によって上記近距離無線通信部１５が制御されて、携帯電話機２に電子メールが送信される。ステップＳ15で、携帯電話機２の近距離無線通信部３２によって、上記電子メールが受信されると、そのことが制御部３５に通知される。そうすると、この通知を受けた制御部３５によって、電子メール受信部２３を介して受信した電子メールが電子メール格納部２４に格納される。そうした後、メッセージ表示部２９が制御されて、電子メールが着信したことを示すメッセージ、例えば「メール着信あり」が上記表示装置に表示される。それと共に、アラーム設定格納部１８に格納されているアラーム設定に従ってアラーム作動部１９あるいはバイブレータ作動部２０が制御されて、使用者に電子メールの着信が通知される。
【００５４】
ステップＳ16で、上記制御部３５によって、アラーム時間監視部２２から決められた時間が経過したとの通知を受けるか、アラーム停止操作部２１から使用者によって操作されたとの通知を受けると、アラーム作動部１９あるいはバイブレータ作動部２０の動作が停止される。そうした後、制御部３５によって、電子メール表示操作部２５からの使用者による電子メール表示の指示が受けられる。ステップＳ17で、制御部３５によって電子メール表示部２６が制御されて、電子メール格納部２４に格納されている電子メール、すなわちスケジュール開始時刻,スケジュール終了時刻,スケジュール内容等が、上記表示装置に表示される。
【００５５】
ステップＳ18で、上記制御部３５によって、上記オンフック操作部２８からの使用者による電子メール消去の指示を受けると、電子メール表示部２６が制御されて、上記表示装置に表示されている電子メールが消去される。そうした後、スケジュール管理処理動作が終了される。
【００５６】
ステップＳ19で、上記制御部１６によって、上記スケジュール通知方法は「音声通話通知」であると判定されて、スケジュール格納部４に格納されているスケジュール開始時刻,スケジュール終了時刻及びスケジュール内容が文章に変換される。そして、音声変換部１３が制御されて、上記文章が音声に変換される。例えば、図４に示したスケジュール番号１のデータを音声変換した場合は、「初詣の時間です。開始時刻は２０００年１月１日１０時００分、終了時刻は２０００年１月１日１２時００分です。」と変換される。ステップＳ20で、制御部１６によって近距離無線通信部１５が制御されて、携帯電話機２に音声通話発信メッセージが送信される。図８に、上記音声通話発信メッセージの一例を示す。最初の１バイトはメッセージの種類を示すデータである。このメッセージの場合は音声通話であることを示す「３」が格納される。次の３バイトはメッセージ長(単位はバイト)であり、その次の４バイトは送信時刻(単位は分)である。
【００５７】
ステップＳ21で、上記携帯電話機２の近距離無線通信部３２によって、上記音声通話発信メッセージが受信されると、そのことが制御部３５に通知される。そうすると、通知を受けた制御部３５によって上記メッセージ表示部２９が制御され、音声通話着信があったことを示すメッセージ、例えば「音声通話着信あり」が上記表示装置に表示される。それと共に、アラーム設定格納部１８に格納されているアラーム設定に従って、アラーム作動部１９あるいはバイブレータ作動部２０が制御されて、使用者に音声通話の着信が通知される。その後、制御部３５によって、オフフック操作部２７からの使用者による音声通話開始の指示を受けると、アラーム作動部１９あるいはバイブレータ作動部２０の動作が停止されると共に、音声通話部３０に近距離無線通信部３２を介した音声通話開始が通知される。そして、上記音声通話開始の通知を受けた音声通話部３０によって、近距離無線通信部３２を介して携帯情報端末１に音声通話開始メッセージが送信される。尚、アラーム時間監視部２２から予め設定された時間が経過したとの通知を受けるまで使用者がオフフック操作を行わなかった場合には、制御部３５によって、アラーム作動部１９あるいはバイブレータ作動部２０の動作が停止される。
【００５８】
ステップＳ22で、上記携帯情報端末１の近距離無線通信部１５によって、上記音声通話開始メッセージが受信されると、そのことが音声通話部１４に通知される。そうすると、通知を受けた音声通話部１４によって、上述のように音声変換部１３で変換された音声が近距離無線通信部１５を通じて送信される。ステップＳ23で、携帯電話機２のオンフック操作部２８によって使用者からの音声通話終了の指示が検知されるか、携帯情報端末１の音声通話部１４によって総ての音声が送信されると、音声通話が終了される。そうした後、スケジュール管理処理動作が終了される。
【００５９】
以上のごとく、本実施の形態によれば、スケジュールを管理している携帯情報端末１には、周辺機器ＩＤ入力部８,周辺機器ＩＤ格納部９および周辺機器発見部１０が設けられている。また、携帯電話機２には、問い合わせ応答部３４が設けられている。そして、アラーム鳴動時刻になると、周辺機器発見部１０と問い合わせ応答部３４とによって、近距離無線通信部１５,３２を介した周辺機器問い合わせメッセージとＩＤを含む応答メッセージとの送受信を行って、周辺機器としての携帯電話機２が携帯情報端末１によって発見される。
【００６０】
そして、上記携帯情報端末１から携帯電話機２に、予め入力されて周辺機器ＩＤ格納部９に格納されているスケジュール通知法に従って、アラーム命令,電子メールまたは音声によってスケジュール通知が行われる。そして、携帯電話機２は、予めアラーム設定格納部１８に格納されたアラーム設定に従って、アラーム動作部１９あるいはバイブレータ動作部２０を作動させるようにしている。
【００６１】
したがって、上記携帯情報端末１と携帯電話機２との両方を携帯する場合でもアラーム設定を携帯電話機２のみで行えばよく、携帯情報端末１のアラーム設定を忘れて周囲に迷惑をかけることを防止できる。
【００６２】
また、上記携帯電話機２を含む複数の携帯電話機のスケジュール管理機能を携帯情報端末１に持たせると共に、近くに在る携帯電話機を探し出してその携帯電話機にスケジュール通知を行うようにしている。したがって、複数の携帯電話機を使い分ける場合でも、適切に且つ確実にスケジュール通知を行うことができるのである。
【００６３】
また、スケジュール管理機能を、上記携帯電話機２ではなく携帯情報端末１に搭載している。したがって、従来より携帯電話機２に搭載されているアラーム設定機能,アラーム鳴動機能,電子メール受信機能および音声通話機能等をそのまま利用することができ、携帯情報端末１との連携のために新たに追加すべき機能は非常に少ない。そのために、携帯電話機２は大型化することがなく、携帯電話機２の操作性を損なうことはない。また、ハードウエアの制約のためにスケジュール管理機能や他の機能に制約が生じることもない。
【００６４】
さらに、スケジュールの入力や変更は、スケジュール管理機能を有する携帯情報端末１から直接行うことができるので、スケジュールの入力および変更に係わる操作性を損なうことがない。
【００６５】
尚、本実施の形態においては説明が煩雑になるために省略しているが、携帯情報端末１側にもバイブレータ作動部,アラーム設定入力部およびアラーム設定格納部が設けられており、携帯情報端末１のみを携帯している場合には、携帯情報端末１のアラーム設定をバイブレータに変更できることは言うまでもない。
【００６６】
【発明の効果】
以上より明らかなように、第１の発明のスケジュール通知方法は、スケジュールの通知時刻になると、スケジュール管理端末装置によって、予め登録されているスケジュール受信端末装置を近距離無線回線を介して探索し、探索されたスケジュール受信端末装置に該当するスケジュールを通知するので、上記スケジュール管理端末装置はスケジュールの通知時刻に至ったことをアラーム等で通知する必要がない。したがって、使用者は上記スケジュール受信端末装置側のアラーム設定のみを変更すればよく、上記スケジュール管理端末装置側のアラーム設定の変更を忘れて周囲に迷惑がかかることを防止できる。さらに、上記スケジュール管理端末装置によって複数の上記スケジュール受信端末装置に関するスケジュールを管理し、近くに在るスケジュール受信端末装置のみにスケジュール通知を行うので、複数のスケジュール受信端末装置を使い分ける場合であっても適切にスケジュール通知を行うことができる。
【００６７】
また、第２の発明のスケジュール管理端末装置は、スケジュール管理端末装置がスケジュール時刻に至ったことを検知すると、ケジュール受信端末装置発見手段によってスケジュール受信端末装置識別コードを参照して周囲に在るスケジュール受信端末装置を発見し、この発見されたスケジュール受信端末装置に該当するスケジュールを電子メールによって通知するので、スケジュールの通知時刻に至ったことをアラームによって使用者に通知する必要がない。したがって、上記スケジュール受信端末装置側のアラーム設定を変更するだけで、周囲に迷惑がかかることを防止できる。
【００６８】
また、近くに在るスケジュール受信端末装置のみにスケジュール通知を行うので、複数のスケジュール受信端末装置を使い分ける場合でも適切にスケジュール通知を行うことができる。さらに、スケジュール管理機能を上記スケジュール受信端末装置に搭載する必要がなく、上記スケジュール受信端末装置が携帯電話機である場合に操作性を損なうことを防止でき、ハードウエアの制約のためにスケジュール管理機能や他の機能に制約が生じることも無い。さらに、スケジュール管理機能を搭載した機器に直接スケジュールの入力,変更を行うことができるので、スケジュールの入力および変更に係わる操作性を損なうことが無い。
【００６９】
また、１実施例のスケジュール管理端末装置は、上記スケジュール受信端末装置識別コードを、上記スケジュール受信端末装置から上記近距離無線通信手段を介して上記記憶手段に記憶させるので、入力手段等から上記スケジュール受信端末装置識別コードを直接入力する煩わしさから使用者を開放できる。
【００７０】
また、１実施例のスケジュール管理端末装置は、上記制御手段は、上記スケジュール受信端末装置発見手段によって周囲に在るスケジュール受信端末装置を発見できなかった場合には、上記スケジュール内容表示手段に、上記スケジュール記憶手段に記憶されたスケジュール内容を読み出して上記表示部に表示させるので、使用者が上記スケジュール管理端末装置のみを携帯して上記スケジュール受信端末装置を携帯していない場合であっても、使用者にスケジュール内容を通知することができる。
【００７１】
また、第３の発明のスケジュール受信端末装置は、スケジュール管理端末装置からの問い合わせを受信すると、問い合せ応答手段によって上記問合せに対する応答を行うので、上記スケジュール管理端末装置の近くに在ることを自動的に通知することができる。さらに、予め指定されたアラーム設定に従ってスケジュール受信を通知するので、上記アラーム設定をバイブレータにすれば、周囲に迷惑をかけることなくスケジュール受信を知ることができる。
【図面の簡単な説明】
【図１】  この発明のスケジュール通知方法を実行するスケジュール管理端末装置およびスケジュール受信端末装置で成るスケジュール管理システムのブロック図である。
【図２】  図１に示すスケジュール管理システムによって行われるスケジュール管理処理動作のフローチャートである。
【図３】  図１における周辺機器ＩＤ格納部に格納されるデータの一例を示す図である。
【図４】  図１におけるスケジュール格納部に格納されるスケジュールデータの一例を示す図である。
【図５】  図１におけるアラーム設定格納部に格納されたアラーム設定データの一例を示す図である。
【図６】  アラーム命令メッセージの一例を示す図である。
【図７】  作成された電子メールの一例を示す図である。
【図８】  音声通話発信メッセージの一例を示す図である。
【符号の説明】
１…携帯情報端末、
２…携帯電話機、
４…スケジュール格納部、
５…スケジュール時刻監視部、
７,１９…アラーム作動部、
８…周辺機器ＩＤ入力部、
９…周辺機器ＩＤ格納部、
１０…周辺機器発見部、
１１…アラーム命令作成部、
１２…電子メール作成部、
１３…音声変換部、
１４,３０…音声通話部、
１５,３２…近距離無線通信部、
１６,３５…制御部、
１８…アラーム設定格納部、
２０…バイブレータ作動部、
２１…アラーム停止操作部、
２２…アラーム時間監視部、
２３…電子メール受信部、
２６…電子メール表示部、
２９…メッセージ表示部、
３１…公衆無線通信部、
３３…ＩＤ格納部、
３４…問い合わせ応答部。
【図１】
0003676990.tif 000002
【図２】
0003676990.tif 000003
【図３】
0003676990.tif 000004
【図４】
0003676990.tif 000005
【図５】
0003676990.tif 000006
【図６】
0003676990.tif 000007
【図７】
0003676990.tif 000008
【図８】
0003676990.tif 000009